(57)【要約】【課題】  赤目自動補正機能付きの撮像装置において、赤目自動補正の設定をＯＮにしていても記録形式がＲＡＷ等の未加工設定であれば、仕様的に矛盾するため撮像画像データに対して赤目自動補正処理を行うことはできない。【解決手段】  記録形式としてのＲＡＷ画像の選択と、前記撮像装置の自動画像補正処理の許可の選択とが共に行われた場合には、一方の選択による処理を行うことができない旨を使用者に知らせる。【選択図】  図１
2007235854.tif 000002
【特許請求の範囲】
【請求項１】
撮像画像の記録形式の選択と、撮像画像に対して自動的に画像補正処理を行う自動画像補正処理を許可するか否かの選択を行うことが可能な撮像装置において、
記録形式としてのＲＡＷ画像の選択と、前記自動画像補正処理の許可の選択とが共に行われた場合、一方の選択による処理を行うことができない旨を報知する報知手段を有することを特徴とする撮像装置。
【請求項２】
前記報知手段は、前記自動画像補正処理の許可が選択されている状態で、記録形式としてＲＡＷ画像が選択された場合は、記録形式をＲＡＷにできない旨を報知し、記録形式としてＲＡＷ画像が選択されている状態で、前記自動画像補正処理の許可が選択された場合は、前記自動画像補正処理を行うことができない旨を報知することを特徴とする請求項１に記載の撮像装置。
【請求項３】
前記報知手段は、前記自動画像補正処理の許可が選択されている状態で、記録形式としてＲＡＷ画像が選択された場合は、前記自動画像補正処理を不許可に変更する旨を報知し、記録形式としてＲＡＷ画像が選択されている状態で、前記自動画像補正処理の許可が選択された場合は、前記記録形式をＲＡＷ画像以外の記録形式に変更する旨を報知することを特徴とする請求項１に記載の撮像装置。
【請求項４】
前記自動画像補正処理は、赤目現象が起きている目に対して色補正を行うことを特徴とする請求項１乃至３のいずれかに記載の撮像装置。
【請求項５】
撮像画像の記録形式の選択と、撮像画像に対して自動的に画像補正処理を行う自動画像補正処理を許可するか否かの選択を行うことが可能な撮像装置の制御方法において、
記録形式としてのＲＡＷ画像の選択と、前記自動画像補正処理の許可の選択とが共に行われた場合、一方の選択による処理を行うことができない旨を報知する報知工程を有することを特徴とする撮像装置の制御方法。
【請求項６】
前記自動画像補正処理の許可が選択されている場合に、記録形式としてＲＡＷ画像が選択されれば、前記報知工程では前記自動画像補正処理を不許可に変更する旨を報知し、
前記自動画像補正処理の許可が選択されている場合に、記録形式としてＲＡＷ画像が選択されなければ、前記自動画像補正処理を行う制御工程を有することを特徴とする請求項５に記載の撮像装置の制御方法。
【請求項７】
記録形式としてＲＡＷ画像が選択されている場合に、前記自動画像補正処理の許可が選択されれば、前記報知工程では前記記録形式をＲＡＷ画像以外の記録形式に変更する旨を報知し、
記録形式としてＲＡＷ画像が選択されている場合に、前記自動画像補正処理の許可が選択されなければ、ＲＡＷ画像にて記録制御を行う制御工程を有することを特徴とする請求項５に記載の撮像装置の制御方法。
【請求項８】
前記自動画像補正処理の許可が選択されている場合に、記録形式としてＲＡＷ画像が選択されれば、前記報知工程ではＲＡＷ画像にて記録を行うことができない旨を報知し、
前記自動画像補正処理の許可が選択されている場合に、記録形式としてＲＡＷ画像が選択されていなければ、前記自動画像補正処理を行う制御工程を有することを特徴とする請求項５に記載の撮像装置の制御方法。
【請求項９】
記録形式としてＲＡＷ画像が選択されている場合に、前記自動画像補正処理の許可が選択されれば、前記報知工程では前記自動画像補正処理を行うことができない旨を報知し、
記録形式としてＲＡＷ画像が選択されている場合に、前記自動画像補正処理の許可が選択されていなければ、ＲＡＷ画像にて記録制御を行う制御工程を有することを特徴とする請求項５に記載の撮像装置の制御方法。
【発明の詳細な説明】
【技術分野】
【０００１】
本発明は、赤目自動補正機能付き撮像装置および、その制御方法に関する。
【背景技術】
【０００２】
フラッシュ発光をともなう人物撮影を行う場合に、目の網膜の中で血液が多く流れている脈絡膜層にフラッシュ光が反射するために起こる赤目現象という現象がある。この赤目現象に対して、画像処理により撮影画像上の赤目位置を判定し、かつそれを自動的に自然に見える状態に補正するといった機能を有する撮像装置がある（特許文献１）。
【０００３】
この赤目自動補正機能は、従来はＰＣ上の画像処理用アプリケーションソフトに組み込まれていたものであるが、画像処理チップの機能向上により撮像装置本体内に備えることも可能になってきた。
【特許文献１】特開平１０−０９１７６１号公報
【発明の開示】
【発明が解決しようとする課題】
【０００４】
図２及び図６、図８は、赤目自動補正機能を備えた従来の撮像装置のブロック図及び動作フローを示したものである。これらの図を用いてその動作を説明する。
【０００５】
図２において、１は撮影レンズ群、２は撮影レンズ群１に対して合焦動作の為のレンズ群１の駆動を行うオートフォーカス（これよりＡＦという）駆動部、３は撮影レンズ群１を通過した光の量を調節する為の絞りである。４は自動露出を行うため絞り３を駆動するための絞り駆動部、５は撮影レンズ群１及び絞り３を通過した被写体像としての光束を電気信号に変換するＣＣＤやＣＭＯＳセンサ等の撮像素子である。６は撮像素子５のアナログ信号出力をデジタル信号に変換するＡ／Ｄ変換器、７はＡ／Ｄ変換器６で変換された画像データを所定のフォーマットに現像／圧縮する映像信号処理部である。８は撮像した画像データの確認等を目的として撮像した画像の再生を行ったり、各種モードの設定の案内を行ったり、撮像の際にフレーミングやピントの確認をおこなったりする液晶表示部である。９は液晶表示部８を駆動する液晶表示部駆動部、１０は画像データ等を保存するためのフラッシュメモリなどのメモリ、１１はメモリ１０に対してデータの保存やデータの読み出しを行うメモリ制御部である。１２はメモリ１０への画像データ保存の前に一時的にデータを保存するためのバッファメモリである。１３はユーザーの操作や撮像装置内の設定に従ってＡＦ駆動部２、絞り駆動部４、映像信号処理部７等を制御するマイクロコンピュータ（これよりマイコンという）である。１４は撮像の開始を指示するスイッチ（これより、ＳＷという）であるレリーズＳＷ、１５はレリーズＳＷ１４以外の各種モード設定を行うための、トグルＳＷ、プッシュＳＷ、あるいは、十字型ＳＷ等の設定ＳＷである。ここで設定ＳＷ１５は、赤目自動補正設定モードおよび記録形式設定モードの設定ＳＷを含むものとする。１６は撮像装置全体に電力を供給する電源である。
【０００６】
図２における赤目自動補正設定および記録形式設定に関する動作フローを図６のフローチャートを用いて説明する。撮像装置の電源がＯＮされると、撮像装置は、ステップＳ６０１から始まる撮像動作に備える。
【０００７】
ステップＳ６０１にて、マイコン１３は、設定ＳＷ１５の操作により赤目自動補正設定モードに入っているか否かの判定を行う。この赤目自動補正設定モードへの入り方であるが、トグルＳＷ操作による設定モードへの突入、プッシュＳＷ操作による設定モードへの突入、あるいは、十字型ＳＷによるメニュー選択による設定モードへの突入等、どのような設定方法でも構わないものとする。
【０００８】
ステップＳ６０１において、マイコン１３が、撮像装置の設定モードが赤目自動補正設定モードに入っていると判定すると、処理をステップＳ６０２に進める。
【０００９】
ステップＳ６０２では、ユーザーは、設定ＳＷ１５を操作することで液晶表示部８に表示される赤目自動補正機能のＯＮ／ＯＦＦの選択を行う。
【００１０】
図７（ａ）、図７（ｂ）は、赤目自動補正機能選択画面の一例である。図７（ａ）は赤目自動補正機能ＯＮ設定時の画面、図７（ｂ）は赤目自動補正機能ＯＦＦ設定時の画面である。
【００１１】
ステップＳ６０３では、マイコン１３は、ステップＳ６０２にてユーザーが、設定ＳＷ１５の操作により赤目自動補正機能選択を行った後、赤目自動補正設定モードから抜けたか否かの判定を行う。
【００１２】
ステップＳ６０３にて、マイコン１３は、設定ＳＷ１５の操作により赤目自動補正機能選択が行われておらず、赤目自動補正設定モードから抜けていないと判定すると、処理をステップＳ６０２へ戻す。
【００１３】
ステップＳ６０３にて、マイコン１３は、設定ＳＷ１５の操作により赤目自動補正機能選択が行われ、赤目自動補正設定モードから抜けていると判定すると、処理をステップＳ６０４へ進め、最終的な赤目自動補正のＯＮ／ＯＦＦの設定をチェックする。
【００１４】
ステップＳ６０４にて、赤目自動補正がＯＮ設定であれば、マイコン１３は処理をステップＳ６０５へ進め、マイコン１３内の不図示の赤目自動補正フラグを１に設定して、処理をステップＳ６０１へ戻す。
【００１５】
ステップＳ６０４にて、赤目自動補正がＯＦＦ設定であれば、マイコン１３は処理をステップＳ６０６へ進め、マイコン１３内の赤目自動補正フラグを０に設定して、処理をステップＳ６０１へ戻す。
【００１６】
なお、赤目自動補正フラグが１の時には赤目自動補正がＯＮとして、０の時には赤目自動補正がＯＦＦとして働くこととする。
【００１７】
ステップＳ６０１において、マイコン１３が、撮像装置の設定モードが赤目自動補正設定モードに入っていないと判定すると、処理をステップＳ６０７へ進める。
【００１８】
ステップＳ６０７では、マイコン１３は、撮像装置の設定モードが記録形式設定モードに入っているか否かを判定する。
【００１９】
ここでこの記録形式設定モードへの入り方であるが、トグルＳＷ操作による設定モードへの突入、プッシュＳＷ操作による設定モードへの突入、あるいは十字型ＳＷによるメニュー選択による設定モードへの突入等、どのような設定方法でも構わないものとする。
【００２０】
ステップＳ６０７にて、記録形式設定モードに入っていたら、マイコン１３は処理をステップＳ６０８へ進め、ユーザーは、設定ＳＷ１５を操作することで液晶表示部８に表示される複数の記録形式からひとつの記録形式を選択する。
【００２１】
ここで、この従来例において選択可能な記録形式の例として、ＲＡＷ画像とＪＰＥＧ画像の２つが選択できるものとする。
【００２２】
ＲＡＷ画像は、撮像素子から読み出した電気信号をそのままデジタル化し保存することで得られる記録形式の画像である。
【００２３】
なお、ＲＡＷ画像は、撮像素子から読み出した電気信号をそのままデジタル化し保存した画像であるため、そのままでは画像として見たり、画像補正等を施したりすることができない。
【００２４】
ＪＰＥＧ画像は、撮像素子から読み出した電気信号をデジタル化し更に、色温度調整もしくはガンマ補正等を施し保存することで得られる記録形式の画像である。
【００２５】
なお、選択可能な記録形式は、一方は、撮像素子から読み出した電気信号をそのままデジタル化し保存する形式であればＲＡＷ画像に限られるわけではない。
【００２６】
もう一方は、撮像素子から読み出した電気信号をデジタル化し更に、色温度調整もしくはガンマ補正等を施し保存する形式であればＪＰＥＧ画像に限られるわけではない。
【００２７】
図７（ｃ）、図７（ｄ）は記録形式選択画面の一例である。図７（ｃ）は記録形式がＲＡＷ設定時の画面、図７（ｄ）は記録形式がＪＰＥＧ設定時の画面である。
【００２８】
ステップＳ６０９では、マイコン１３は、ステップＳ６０８にてユーザーが、設定ＳＷ１５の操作により記録形式の選択を行った後、記録形式設定モードから抜けたか否かの判定を行う。
【００２９】
ステップＳ６０９にて、マイコン１３は、設定ＳＷ１５の操作により記録形式の選択が行われておらず、記録形式設定モードから抜けていないと判定すると、処理をステップＳ６０８へ戻す。
【００３０】
ステップＳ６０９にて、マイコン１３は、設定ＳＷ１５の操作により記録形式の選択が行われており、記録形式設定モードから抜けていると判定すると、処理をステップＳ６１０へ進め、記録形式がＲＡＷ設定か否かをチェックする。
【００３１】
ステップＳ６１０にて、マイコン１３は、記録形式がＲＡＷ設定であると判定すると、処理をステップＳ６１１に進め、マイコン１３内の不図示のＬｏｓｓＬｅｓｓフラグを１に設定して、処理をステップＳ６０１へ戻す。
【００３２】
ステップＳ６１０にて、マイコン１３は、記録形式がＲＡＷ設定でないと判定すると、処理をステップＳ６１２へ進め、マイコン１３内のＬｏｓｓＬｅｓｓフラグを０に設定して、処理をステップＳ６０１へ戻す。
【００３３】
なお、ＬｏｓｓＬｅｓｓフラグが１の時にはＲＡＷ設定がＯＮとして、０の時にはＲＡＷ設定がＯＦＦとして働くこととする。
【００３４】
図８は、上記した赤目自動補正機能を備えた従来の撮像装置のレリーズ時の動作フローを示したものである。
【００３５】
撮像装置の電源がＯＮされると、撮像装置は、ステップＳ８０１から始まる撮像動作に備える。ステップＳ８０１にて、マイコン１３は撮像装置のレリーズＳＷ１４がＯＮか否かを検出する。ステップＳ８０１にて、ユーザーがレリーズＳＷ１４をＯＮしたら、マイコン１３は処理をステップＳ８０２へ進め、一連のレリーズ動作を行う。
【００３６】
ここで、一連のレリーズ動作について説明を行う。
まず、ユーザーがレリーズＳＷ１４をＯＮすると、マイコン１３から送られてくる情報を基にＡＦ駆動部２がレンズ群１を駆動し、絞り駆動部４が絞り３を駆動する。次に、絞り３を通過した被写体像としての光束を撮像素子５にて光電変換し、Ａ／Ｄ変換機６でデジタル信号に変換する。そして、映像信号処理部７にて変換されたデジタル信号に対し画像処理を施し画像信号として取得する。
【００３７】
ステップＳ８０１にて、ユーザーによってレリーズＳＷ１４がＯＮされてなければ、レリーズＳＷ１４がＯＮされるまで待機する。
【００３８】
ステップＳ８０２にて、一連のレリーズ動作が終了したら、マイコン１３は処理をステップＳ８０３へ進め、マイコン１３内の赤目自動補正フラグが１であるか否かを判定する。
【００３９】
ステップＳ８０３にて、マイコン１３内の赤目自動補正フラグが１でないと判定されると、マイコン１３は処理をステップＳ８０４へ進め、赤目自動補正処理無しで撮像画像をメモリ１０に記録し、処理を終える。
【００４０】
ステップＳ８０３にて、マイコン１３内の赤目自動補正フラグが１であると判定されると、マイコン１３は処理をステップＳ８０５へ進め、マイコン１３内のＬｏｓｓＬｅｓｓフラグが１であるか否かを判定する。
【００４１】
ステップＳ８０５にて、マイコン１３は、ＬｏｓｓＬｅｓｓフラグが１でないと判定すると、マイコン１３は処理をステップＳ８０６へ進め、そのまま赤目自動補正処理有りで撮像画像をメモリ１０に記録し、処理を終える。
【００４２】
ステップＳ８０５にて、マイコン１３は、ＬｏｓｓＬｅｓｓフラグが１であると判定すると、マイコン１３は処理をステップＳ８０４へ進める。
【００４３】
ステップＳ８０４では、ステップＳ８０３において赤目自動補正フラグが１であっても、撮像画像データの記録形式がＲＡＷ等の未加工設定なので、撮像画像データに対して赤目補正等の修正を加えることはできない。したがって、赤目自動補正処理無しで撮像画像をメモリ１０に記録し、処理を終える。
【００４４】
上記従来例では、赤目自動補正の設定をＯＮにしていても記録形式がＲＡＷ等の未加工設定であれば、仕様的に矛盾するため撮像画像データに対して赤目自動補正処理を行うことはできない。結果として、赤目自動補正設定をＯＮにしているにもかかわらず、赤目自動補正処理を行わないまま撮像画像を記録している。
【００４５】
これでは使用者に対し、「赤目自動補正の設定をＯＮにしているのになぜ実際の撮像画像は赤目自動補正処理無しで記録されているのだろうか」という不信感を抱かせることになるかもしれない。もちろん、デジタルカメラについて詳しく知っている使用者であれば記録形式が未加工設定であるから、仕様的に矛盾するために赤目自動補正処理が行われないのであろうと気づくこともあるかもしれない。しかしながら、デジタルカメラについて詳しく知らない初心者にはその理由は分からないであろう。
【００４６】
結果としてデジタルカメラは実際には正常に動作しているにもかかわらず「故障している」とみなすユーザーも現れることになる。
【課題を解決するための手段】
【００４７】
上記課題を解決し、目的を達成するために、本発明は、撮像画像の記録形式の選択と、撮像画像に対して自動的に画像補正処理を行う自動画像補正処理を許可するか否かの選択を行うことが可能な撮像装置において、記録形式としてのＲＡＷ画像の選択と、前記自動画像補正処理の許可の選択とが共に行われた場合、一方の選択による処理を行うことができない旨を報知する報知手段を有することを特徴とするものである。
【００４８】
上記課題を解決し、目的を達成するために、本発明は、撮像画像の記録形式の選択と、撮像画像に対して自動的に画像補正処理を行う自動画像補正処理を許可するか否かの選択を行うことが可能な撮像装置の制御方法において、記録形式としてのＲＡＷ画像の選択と、前記自動画像補正処理の許可の選択とが共に行われた場合、一方の選択による処理を行うことができない旨を報知する報知工程を有することを特徴とするものである。
【発明の効果】
【００４９】
撮影モードが選択された際に、画像の記録形式と自動補正の組み合わせに応じてユーザーに対して警告を行うことで、ユーザーにとって使いやすい撮像装置を提供することが可能になる。
【発明を実施するための最良の形態】
【００５０】
以下、本発明の好適な実施形態について、図面を参照して詳細に説明する。
【００５１】
（第１の実施形態）
図１に示すフローチャートを用いて、本発明の実施形態における撮像装置における動作処理を説明する。なお、本実施形態を実施するにあたっての撮像装置のブロック図は上記従来例の説明における図２、また撮像装置のレリーズ時のシーケンスについては従来例の説明における図８のフローチャート、と同様なのでそれらの説明は省略する。
【００５２】
撮像装置の電源がＯＮされると、撮像装置は、ステップＳ１０１から始まる撮像動作に備える。
【００５３】
ステップＳ１０１にて、マイコン１３は、設定ＳＷ１５の操作により赤目自動補正設定モードに入っているか否かの判定を行う。ここでの赤目自動補正設定モードへの入り方であるが、トグルＳＷ操作による設定モードへの突入、プッシュＳＷ操作による設定モードへの突入、あるいは十字型ＳＷによるメニュー選択による設定モードへの突入等、どのような設定方法でも構わないものとする。
【００５４】
ステップＳ１０１において、マイコン１３が、撮像装置の設定モードが赤目自動補正設定モードに入っていると判定すると、処理をステップＳ１０２に進める。
【００５５】
ステップＳ１０２では、ユーザーは、設定ＳＷ１５を操作することで液晶表示部８に表示される赤目自動補正機能のＯＮ／ＯＦＦの選択を行う。従来例同様、赤目自動補正機能選択画面の様子の一例を図７（ａ）、図７（ｂ）に示す。
【００５６】
ステップＳ１０３では、マイコン１３は、ステップＳ１０２でユーザーが設定ＳＷ１５により赤目自動補正機能選択を行った後、赤目自動補正設定モードから抜けたか否かの判定を行う。
【００５７】
ステップＳ１０３にて、マイコン１３は、設定ＳＷ１５により赤目自動補正機能選択が行われておらず、赤目自動補正設定モードから抜けてないと判定すると、処理をステップＳ１０２へ戻す。
【００５８】
ステップＳ１０３にて、マイコン１３は、設定ＳＷ１５により赤目自動補正機能選択が行われており、赤目自動補正設定モードから抜けていると判定すると、処理をステップＳ１０４へ進め、最終的な赤目自動補正のＯＮ／ＯＦＦの設定をチェックする。
【００５９】
ステップＳ１０４にて、赤目自動補正がＯＦＦ設定であれば、マイコン１３は処理をステップＳ１０５へ進め、赤目自動補正フラグを０に設定して、処理をステップＳ６０１へ戻す。
【００６０】
ステップＳ１０４にて、赤目自動補正がＯＮ設定であれば、マイコン１３は処理をステップＳ１０６へ進め、マイコン１３内のＬｏｓｓＬｅｓｓフラグが１であるか否かの判定を行う。
【００６１】
ステップＳ１０６にて、マイコン１３は、ＬｏｓｓＬｅｓｓフラグが１であると判定すると、処理をステップＳ１０８に進め、液晶表示部８に一定時間、警告表示を出してから処理をステップＳ１０２へ戻す。
【００６２】
警告表示を出すのは、未加工設定であるにもかかわらず撮像画像データに対して赤目自動補正処理を行うことになり仕様的に矛盾するため、選択された処理はできないという旨を使用者に知らせるためである。
【００６３】
ここで、上記警告表示画面の一例を図３（ａ）に示す。図３（ａ）では、「記録形式がＲＡＷなので赤目自動補正ＯＮに出来ません」と表示し今の記録形式のままでは選択された処理はできないことを使用者に対してアナウンスしている。なお、表示するメッセージは、記録形式がＲＡＷなので赤目自動補正ＯＮに出来ない旨が使用者に伝わるならば、上記したメッセージに限られるものではない。また、音声で、記録形式がＲＡＷなので赤目自動補正ＯＮに出来ないという旨を使用者に知らせるようにしてもよい。
【００６４】
ステップＳ１０６にて、マイコン１３は、ＬｏｓｓＬｅｓｓフラグが１でないと判定すると、処理をステップＳ１０７へ進め、赤目自動補正フラグを１に設定して、処理をステップＳ１０１へ戻す。
【００６５】
ステップＳ１０１において、マイコン１３が、撮像装置の設定モードが赤目自動補正設定モードに入ってないと判定すると、処理をステップＳ１０９に進める。
【００６６】
ステップＳ１０９では、マイコン１３は撮像装置の設定モードが記録形式設定モードに入っているか否かを判定する。ここでこの記録形式設定モードへの入り方であるが、トグルＳＷ操作による設定モードへの突入、プッシュＳＷ操作による設定モードへの突入、あるいは十字型ＳＷによるメニュー選択による設定モードへの突入等、いずれの設定方法でも構わないものとする。
【００６７】
ステップＳ１０９にて、記録形式設定モードに入っていなければ、マイコン１３は処理をステップＳ１０１へ戻す。
【００６８】
ステップＳ１０９にて、記録形式設定モードに入っていたら、マイコン１３は処理をステップＳ１１０へ進め、ユーザーは、設定ＳＷ１５を操作することで液晶表示部８に表示される複数の記録形式からひとつの記録形式を選択する。
【００６９】
ここで選択可能な記録形式は従来例同様、撮像素子から得られた電気信号を、画像処理を施すことなくデジタル化した状態で保存するＲＡＷモードと、撮像素子から得られた電気信号を規定の圧縮方法で圧縮するＪＰＥＧモードとの２つがあるものとする。なお、モードの呼称は上記したものに限られるものではない。また記録形式も上記２つのモードに限られるわけでなく、画像処理を施さない未加工形式の画像を記録するモードと、圧縮を含む画像処理を施した加工済みの画像を記録するモードが選択可能であれば、どのような種類の圧縮方式の画像でも良い。
【００７０】
従来例同様、記録形式選択画面の様子の一例を図７（ｃ）、図７（ｄ）に示す。
【００７１】
ステップＳ１１１では、マイコン１３は、ステップＳ１１０にてユーザーが設定ＳＷ１５の操作により記録形式の選択を行った後、記録形式設定モードから抜けたか否かの判定を行う。
【００７２】
ステップＳ１１１にて、マイコン１３は、設定ＳＷ１５の操作により記録形式の選択が行われおらず、記録形式設定モードから抜けてないと判定すると、処理をステップＳ１１０へ戻す。
【００７３】
ステップＳ１１１にて、マイコン１３は、設定ＳＷ１５の操作により記録形式の選択が行われており、記録形式設定モードから抜けていると判定すると、処理をステップＳ１１２へ進め、記録形式がＲＡＷ設定か否かをチェックする。
【００７４】
ステップＳ１１２にて、マイコン１３は記録形式がＲＡＷ設定であると判定すると、処理をステップＳ１１４へ進め、赤目自動補正フラグが１であるか否かを判定する。
【００７５】
ステップＳ１１２にて、マイコン１３は記録形式がＲＡＷ設定でないと判定すると、処理をステップＳ１１３へ進め、ＬｏｓｓＬｅｓｓフラグを０に設定して、処理をステップＳ１０１へ戻す。
【００７６】
ステップＳ１１４にて、マイコン１３は、赤目自動補正フラグが１であると判定すると、処理をステップＳ１１６に進め、液晶表示部８に一定時間、警告表示を出してから処理をステップＳ１１０へ戻す。
【００７７】
警告表示を出すのは、未加工設定であるにもかかわらず撮像画像データに対して赤目自動補正処理を行うことになり仕様的に矛盾するため、選択された処理はできないという旨を使用者に知らせるためである。
【００７８】
ステップＳ１１４にて、マイコン１３は、赤目自動補正フラグが１でないと判定すると、処理をステップＳ１１５へ進め、ＬｏｓｓＬｅｓｓフラグを１に設定して、処理をステップＳ１０１へ戻す。
【００７９】
ここで、上記警告表示画面の一例を図３（ｂ）に示す。図３（ｂ）では、「赤目自動補正がＯＮなので記録形式をＲＡＷに出来ません」と表示し、今の設定のままでは記録形式を変更できないことを使用者に対してアナウンスしている。なお、表示するメッセージは、赤目自動補正がＯＮなので記録形式をＲＡＷに出来ない旨が使用者に伝わるならば、上記したメッセージに限られるものではない。また、表示をせずに音声で、赤目自動補正がＯＮなので記録形式をＲＡＷに出来ないという旨を使用者に知らせるようにしてもよい。
【００８０】
なお、本実施形態においては、先に選択された設定による処理を優先しているが、後に選択された設定による処理を優先してもよい。
【００８１】
このように、本実施形態では、記録形式としてのＲＡＷ画像の選択と、前記撮像装置の自動画像補正処理の許可の選択とが共に行われた場合には、一方の選択による処理を行うことができない旨を使用者に知らせるようにしている。
【００８２】
また、本実施形態においては、赤目自動補正設定モードに入っていなければ、記録形式設定モードへ入っているか否かの判定を行っているが、記録形式設定モードへ入っていないと判定されてから赤目自動補正設定モードへ入っているか否かの判定を行っても良い。
【００８３】
したがって、仕様上の矛盾を回避でき、かつ使用者は「未加工形式かつ赤目自動補正機能ＯＮ」では撮影できないことを認識できるので、従来に比べてより使いやすいカメラを提供できる。
【００８４】
（第２の実施形態）
本実施形態の動作を図面を参照して詳細に説明する。第１の実施形態と同じ処理を行うステップには同じステップ番号が割り当てられる。
【００８５】
第１の実施形態では、記録形式がＲＡＷ等の未加工形式に設定された場合は、赤目自動補正機能をＯＦＦにする又は記録形式を変更するように使用者に促している。それに対して、本実施形態では、強制的に赤目自動補正機能をＯＦＦにする又は記録形式を変更して、使用者に告知している点が異なる点である。
【００８６】
図４は本発明の第２の実施形態における撮像処理のフローチャートを示している。
図１と異なるのは、ステップＳ４０６からステップＳ４０９、ステップ４１７からステップＳ４１８、であるのでそれ以外のステップの説明は省略する。
【００８７】
本実施形態を実施するにあたっての撮像装置のブロック図、操作部材及び表示パネル等は図２、また撮像装置のレリーズ時の処理については図８のフローチャート、と同様なのでその説明は省略する。
【００８８】
ステップＳ１０４にて赤目自動補正がＯＮ設定であれば、マイコン１３は処理をステップＳ４０６へ進め、ＬｏｓｓＬｅｓｓフラグが１であるか否かの判定を行う。
【００８９】
ステップＳ４０６にて、マイコン１３はＬｏｓｓＬｅｓｓフラグが１でないと判定すると、処理をステップＳ４０７へ進め、赤目自動補正フラグを１に設定して、処理をステップＳ１０１へ戻す。
【００９０】
ステップＳ４０６にて、マイコン１３はＬｏｓｓＬｅｓｓフラグが１であると判定すると、処理をステップＳ４０８へ進め、液晶表示部８に一定時間、警告表示を出してから処理をステップＳ４０９へ進める。
【００９１】
ここで、ステップＳ４０８における警告表示画面の一例を図５（ａ）に示す。図５（ａ）では、「記録形式をＪＰＥＧにします」と表示して使用者に記録モードを強制的に変更したことを告知している。なお、表示するメッセージは、記録形式をＪＰＥＧに変更した旨が使用者に伝わるならば、上記したメッセージに限られるものではない。また、音声で、記録形式をＪＰＥＧに変更した旨を使用者に伝えるようにしてもよい。
【００９２】
ステップＳ４０９では、マイコン１３はＬｏｓｓＬｅｓｓフラグを０に設定して、処理をステップＳ４０７へ進め、赤目自動補正フラグを１に設定して、処理をステップＳ１０１へ戻す。
【００９３】
ステップＳ１１４にて、マイコン１３は、赤目自動補正フラグが１であると判定すると、処理をステップＳ４１７へ進め、液晶表示部８に一定時間、警告表示を出してから処理をステップＳ４１８へ進める。
【００９４】
ここで、ステップＳ４１７における警告表示画面の一例を図５（ｂ）に示す。図５（ｂ）では、「赤目自動補正をＯＦＦにします」と表示して使用者に赤目自動補正モードを強制的にＯＦＦにしたことを告知している。なお、表示するメッセージは、赤目自動補正をＯＦＦにした旨が使用者に伝わるならば、上記したメッセージに限られるものではない。また、音声で、赤目自動補正をＯＦＦにするという旨を使用者に伝えてもよい。
【００９５】
ステップＳ４１８では、マイコン１３は、赤目自動補正フラグを０に設定して、処理をステップＳ１１５へ進める。
【００９６】
このように本実施形態によれば、赤目自動補正機能が許可されかつメモリへの記録形式がＲＡＷ等の未加工形式に設定された場合は、モード設定シーケンス上で赤目自動補正機能を強制的に不許可にするとともにそれを使用者に告知している。もしくは、モード設定シーケンス上で記録形式を強制的にＪＰＥＧ等の加工済形式に変更するとともにそれを使用者に告知する様にシーケンスを構成している。
【００９７】
したがって、仕様上の矛盾を回避でき、かつ使用者は「未加工形式かつ赤目自動補正機能が許可」では撮影できないことを認識できるので、従来に比べてより使いやすいカメラを提供できる。
【図面の簡単な説明】
【００９８】
【図１】本発明の第１の実施形態における撮像装置の処理を示すフローチャートである。
【図２】本発明の従来及び本実施形態における撮像装置のブロック図である。
【図３】本発明の第１の実施形態における警告表示画面の例である。
【図４】本発明の第２の実施形態における撮像装置の処理を示すフローチャートである。
【図５】本発明の第２の実施形態における警告表示画面の例である。
【図６】本発明の従来例における赤目自動補正機能を備えた撮像装置の動作フローである。
【図７】本発明の従来例における赤目自動補正機能選択画面と、記録形式選択画面の表示の様子を示した図である。
【図８】本発明の撮像装置におけるレリーズ時の処理についてのフローチャートである。
【符号の説明】
【００９９】
１  撮影レンズ群
２  ＡＦ駆動部
３  絞り
４  絞り駆動部
５  撮像素子
６  Ａ／Ｄ変換器
７  映像信号処理部
８  液晶表示部
９  液晶表示部駆動部
１０  メモリ
１１  メモリ制御部
１２  バッファメモリ
１３  マイクロコンピュータ
１４  レリーズＳＷ
１５  設定ＳＷ
１６  電源
【図１】
2007235854.tif 000003
【図２】
2007235854.tif 000004
【図３】
2007235854.tif 000005
【図４】
2007235854.tif 000006
【図５】
2007235854.tif 000007
【図６】
2007235854.tif 000008
【図７】
2007235854.tif 000009
【図８】
2007235854.tif 000010